(57)【要約】      （修正有）【課題】上水道の使用時であっても、スプリンクラーヘッドが作動した際に必要な水圧を確保して消火性能の低下を抑制する。【解決手段】消火設備は、上水道を供給する配管に、火災による熱気流を受けて作動する閉鎖型のスプリンクラーヘッド１８を装着し、配管の給水圧力が所定圧力以下に低下した時に、スプリンクラーヘッド１８以外の散水部に対する給水を遮断する遮断装置２０を設ける。遮断装置２０は散水部に対する配管の分岐部分毎に設けるが、スプリンクラーヘッド１８に対する配管とスプリンクラーヘッド以外の散水部に対する配管とに分けて配管している場合、散水部に対する配管の分岐部分に前記遮断装置を設けても良い。【選択図】図１
2010213825.tif 000002
【特許請求の範囲】
【請求項１】
上水道を供給する配管に、火災による熱気流を受けて作動する閉鎖型のスプリンクラーヘッドを装着した消火設備に於いて、
前記配管の給水圧力が所定圧力以下に低下した時に、前記スプリンクラーヘッド以外の散水部に対する給水を遮断する遮断装置を設けたことを特徴とする消火設備。
【請求項２】
請求項１記載の消火設備に於いて、前記散水部に対する配管の分岐部分毎に前記遮断装置を設けたことを特徴とする消火設備。
【請求項３】
請求項１記載の消火設備に於いて、前記スプリンクラーヘッドに対する配管と前記スプリンクラーヘッド以外の散水部に対する配管とに分けて配管している場合、前記散水部に対する配管の分岐部分に前記遮断装置を設けたことを特徴とする消火設備。
【請求項４】
請求項１記載の消火設備に於いて、前記遮断装置は、前記配管の給水圧力が所定圧力以下に低下した時に、流路を完全に遮断するように閉弁することを特徴とする消火設備。
【請求項５】
請求項１記載の消火設備に於いて、前記遮断装置は、前記配管の給水圧力が所定圧力以下に低下した時に、流路を一部開いた状態で閉弁することを特徴とする消火設備。
【請求項６】
請求項１記載の消火設備に於いて、前記遮断装置を蛇口内部に組み込み配置したことを特徴とする消火装置。
【請求項７】
請求項１記載の消火設備に於いて、前記遮断装置を、蛇口の出口ネジ穴に捩じ込み固定したことを特徴とする消火装置。
【発明の詳細な説明】
【技術分野】
【０００１】
本発明は、上水道を供給する配管に、火災による熱気流を受けて作動する閉鎖型のスプリンクラーヘッドを装着した消火設備に関する。
【背景技術】
【０００２】
従来、一般住宅、共同住宅、グループホームなどでは、上水道と同じ配管に閉鎖型のスプリンクラーヘッドを接続し、火災時に上水道を使用して消火を行う消火設備が知られている。
【０００３】
ここで、一般住宅のスプリンクラーヘッドへの水圧は例えば０．０５ＭＰａが要求されており、上水道からの０．０５ＭＰａを超える給水圧力が確保できることで、火災時に充分な消火性能を得ることができる。
【先行技術文献】
【特許文献】
【０００４】
【特許文献１】特開平８−２４３６０号公報
【発明の概要】
【発明が解決しようとする課題】
【０００５】
しかしながら、このような従来の消火設備にあっては、上水道は日常生活で使用するため、例えば浴槽への給水などの上水道の使用時に、スプリンクラーヘッドが例えば複数個作動すると、スプリンクラーヘッドへの給水圧力が規定圧力以下に下がってしまい、消火性能を確保できなくなることが考えられる。
【０００６】
本発明は、上水道の使用時であっても、スプリンクラーヘッドが作動した際に必要な水圧を確保して消火性能の低下を抑制する消火設備を提供することを目的とする。
【課題を解決するための手段】
【０００７】
本発明は、上水道を供給する配管に、火災による熱気流を受けて作動する閉鎖型のスプリンクラーヘッドを装着した消火設備に於いて、
配管の給水圧力が所定圧力以下に低下した時に、スプリンクラーヘッド以外の散水部に対する給水を遮断する遮断装置を設けたことを特徴とする。
【０００８】
ここで、散水部に対する配管の分岐部分毎に遮断装置を設ける。また、スプリンクラーヘッドに対する配管とスプリンクラーヘッド以外の散水部に対する配管とに分けて配管している場合、散水部に対する配管の分岐部分に前記遮断装置を設ける。
【０００９】
遮断装置は、配管の給水圧力が所定圧力以下に低下した時に、流路を完全に遮断するように閉弁する。
【００１０】
遮断装置は、配管の給水圧力が所定圧力以下に低下した時に、流路を一部開いた状態で閉弁するようにしても良い。
【００１１】
遮断装置を蛇口内部に組み込み配置とする。また、遮断装置を、蛇口の出口ネジ穴に捩じ込み固定しても良い。
【発明の効果】
【００１２】
本発明によれば、上水道の使用中に火災が発生してスプリンクラーヘッドが作動して給水圧力が所定圧力以下に低下すると、遮断装置の弁の閉止が行われ、スプリンクラーヘッド以外の散水部に対する給水が遮断され、作動しているスプリンクラーヘッドに対し上水道による給水を集中させ、スプリンクラーヘッドに対する充分な給水圧力を確保して消火性能の低下を抑制することができる。
【００１３】
また一般設備の散水部に対する配管とスプリンクラーヘッドに対する配管を分けている場合は、一般設備の散水部に対する配管の分岐部分に遮断装置を設けるだけで良く、設置する遮断装置を少なくして設備コストを低減できる。
【００１４】
また遮断装置の弁閉により流路を完全に遮断せずに一部を開いておくことで、一般設備の散水部による必要最小限の上水道の使用を可能とすることもできる。
【図面の簡単な説明】
【００１５】
【図１】本発明による消火設備の実施形態を示した説明図
【図２】図１に設ける遮断装置の実施形態を示した断面図
【図３】図１に設ける遮断装置の他の実施形態を示した断面図
【図４】図１に設ける遮断装置の他の実施形態を示した断面図
【図５】本発明による消火設備の他の実施形態を示した説明図
【図６】弁閉で一部流路を開いている本発明の消火設備で使用する遮断装置の他の実施形態を示した断面図
【図７】蛇口に内蔵する遮断装置の他の実施形態を示した説明図
【図８】蛇口に接続する遮断装置の他の実施形態を示した説明図
【発明を実施するための形態】
【００１６】
図１は本発明による消火設備の実施形態を示した説明図である。図１において、例えば一般住宅に引き込まれた上水道配管１０は一般設備配管１０ａと消火設備配管１０ｂに分岐される。一般設備配管１０ａには、手洗１２や浴槽１５に対する蛇口１６が接続され、またトイレ１４についてはその給水タンクに配管が接続される。
【００１７】
消火設備配管１０ｂには例えば部屋毎に分けて閉鎖型のスプリンクラーヘッド１８が接続されている。閉鎖型のスプリンクラーヘッド１８は感熱機構で保持された弁部材によりヘッド開口を閉鎖しており、火災による熱気流を受けて感熱機能が所定温度に達すると熱分解して弁部材を離脱させることでヘッド開口を開き、上水道水を散水させる。
【００１８】
このような上水道を使用した消火設備につき本発明の実施形態にあっては、一般設備配管１０ａから一般水道設備の散水部となる蛇口１６及びトイレ１４のタンクに対する配管の各々に遮断装置２０を設けている。遮断装置２０は、配管の給水圧力が所定圧力以下に低下した時に、蛇口１６やトイレタンクなどの散水部に対する給水を遮断する。
【００１９】
ここで、一般住宅のスプリンクラーヘッド１８への水圧は例えば０．０５ＭＰａが要求されており、スプリンクラーヘッド１８と一般水道設備の散水部たとえば浴槽１５の蛇口１６が開放されたときには、水圧は０．０５ＭＰａ以下に低下する。そこで、水圧が０．０５ＭＰａ以下の所定圧力、例えば０．０３ＭＰａ以下に低下したら遮断装置２０が弁を閉止し、一般水道設備への給水を遮断して消火設備配管１０ｂによる作動しているスプリンクラーヘッド１８へ上水道による給水を集中させ、水圧の低下を抑制して予定した消火性能を確保させる。
【００２０】
図２は図１の消火設備に使用されている遮断装置の実施形態を示した断面図である。図２において、遮断装置２０は本体２２の一方にネジ部２４ａを備えた流入口２４を形成する共に反対側にネジ穴部２６ａを備えた流出口２６を形成し、その間に形成した流路３０の２次側の弁座３２に対しボール弁３４を配置し、ボール弁３４をホルダー２８の配置で支持したコイルバネ３６により閉鎖方向に付勢している。ホルダー２８には軸方向に複数の流路３８が形成されている。
【００２１】
ボール弁３４は流入口２４から給水圧力がコイルバネ３６のバネ力で設定した例えば０．０３ＭＰａを超えていると、ボール弁３４がコイルバネ３６を圧縮して流路３０を開いている。また、スプリンクラーヘッド１８の作動により給水圧力が例えば０．０３ＭＰａ以下に低下すると、ボール弁３４はコイルバネ３６の力に押されて流路３０を閉鎖する。
【００２２】
図３は図１の消火設備に使用されている遮断装置の他の実施形態を示した断面図である。図３において、遮断装置２０は本体４２の一方にネジ部４４ａを備えた流入口４４を形成すると共に反対側にネジ穴部４６ａを備えた流出口４６を形成し、その間に形成した流路５０の２次側の弁座５２に対しスプール弁５４を配置している。
【００２３】
スプール弁５４は後方にロッド５５を一体に形成し、ロッド５５をホルダー４８を貫通して摺動自在に支持し、ロッド５５の後端に抜止め用のストッパ５６を形成している。スプール弁５４はホルダー４８の配置で支持したコイルバネ５８により閉鎖方向に付勢されている。ホルダー４８には軸方向に複数の流路６０が形成されている。
【００２４】
スプール弁５４は流入口４４から給水圧力がコイルバネ５８のバネ力で設定した例えば０．０３ＭＰａを超えていると、スプール弁５４がコイルバネ５８を圧縮して流路５０を開いている。また、スプリンクラーヘッド１８の作動により給水圧力が例えば０．０３ＭＰａ以下に低下すると、スプール弁５４はコイルバネ５８の力に押されて流路５０を閉鎖する。
【００２５】
図４は図１の消火設備に使用されている遮断装置の他の実施形態を示した断面図であり、この実施形態にあっては、配管の接続部分に組み込まれる構造の遮断装置としたことを特徴とする。
【００２６】
図４において、遮断装置２０は１次配管６２と２次配管６３のジョイント部分に組み込まれる。即ち、遮断装置２０は本体６４のフランジ部分に流路６６を形成し、流路６６の背後の円筒部の先端を内側に屈曲してリテーナ部７４を生成し、リテーナ部７４の内側に配置したコイルバネ７２により弁体７０を流路６６の開口部のリング溝に配置した弁座シール６８に押圧して閉止している。
【００２７】
弁体７０は流入口４４から給水圧力がコイルバネ７２のバネ力で設定した例えば０．０３ＭＰａを超えていると、弁体７０がコイルバネ７２を圧縮して流路６６を開く。またスプリンクラーヘッド１８の作動により給水圧力が例えば０．０３ＭＰａ以下に低下すると、弁体７０はコイルバネ７２の力に押されて流路６６を閉止する。
【００２８】
この図４の実施形態による遮断装置２０にあっては、配管のジョイント部分に内蔵できることから、構造が簡単で小型化できる。
【００２９】
図５は本発明による消火設備の他の実施形態を示した説明図であり、一般設備用配管の分岐部分に遮断装置を設けたことを特徴とする。
【００３０】
図５において、上水道配管１０は一般設備配管１０ａと消火設備配管１０ｂの２系統に分けて配管していることから、このような場合には、一般設備配管１０ａの分岐部分に１台の遮断装置２０を設ける。
【００３１】
遮断装置２０は図１の実施形態と同じであり、配管の給水圧力が所定圧力以下に低下した時に、一般設備配管１０ａに対する給水を遮断し、蛇口１６やトイレタンクなどの散水部に対する給水を停止する。
【００３２】
即ち、遮断装置２０は水圧が０．０３ＭＰａを越えていれば、弁を開放して一般設備に水道水を給水しているが、スプリンクラーヘッド１８と一般水道設備の例えば浴槽１５の蛇口１６が開放されて水圧が０．０３ＭＰａ以下に低下すると遮断装置２０が弁を閉止し、一般設備配管１０ａへの給水を遮断し、消火設備配管１０ｂに上水道による給水を集中させ、作動しているスプリンクラーヘッド１８に対する水圧の低下を抑制して予定した消火性能を確保させる。
【００３３】
図６は本発明の消火設備で使用する遮断装置の他の実施形態を示した断面図であり、この実施形態にあっては、弁を閉止しても完全に流路を遮断せず、流路の一部を開いた状態として一般設備の散水部に対する必要最小限の給水を確保するようにしたことを特徴とする。
【００３４】
図６において、この実施形態の遮断装置２０の構造は基本的に図２の実施形態と同じであるが、更に、ボール弁３４で閉鎖された流路３０と平行に、ボール弁３４の開閉に影響されずに常時上水道水を供給するバイパス流路７６を設けたことを特徴とする。
【００３５】
このようにバイパス流路７６を設けたことで、例えば図１又は図６のような遮断装置２０の配置状態で、スプリンクラーヘッド１８と一般水道設備の例えば浴槽１５の蛇口１６が開放されて水圧が０．０３ＭＰａ以下に低下して遮断装置２０が弁を閉止した場合、一般配管１０ａによる給水がバイパス流路７６を通って行われ、一般設備の散水部に対し必要最小限の給水を確保することができる。
【００３６】
図７は本発明の消火設備で使用する遮断装置の他の実施形態を示した断面図であり、この実施形態にあっては、蛇口に遮断装置を内蔵したことを特徴とする。
【００３７】
図７において、蛇口７８は本体８０の内部にスピンドル８２をネジ部８２ｂにより螺合しており、スピンドル８２の上部にパッキン押え８４により三角パッキン８６を配置し、スピンドル８２の先端にハンドル８５を取り付けている。
【００３８】
スピンドル８２の下端には軸部８２ａが形成され、仕切り壁８０ａに形成した弁穴８２ｂを貫通しており、弁穴８２ｂの上側にコマパッキン８８を介して弁体９０を摺動自在なフリー状態で嵌め入れ、弁体９２とネジ部８２の下端との間にコイルバネ９０を介在し、弁体９０を弁穴８０ｂを閉じる方向に付勢している。
【００３９】
スピンドル８２の軸部８２ａに摺動自在に嵌め込まれた弁体９０と、弁体９０を閉鎖方向に付勢するコイルバネ９２によって遮断装置２０が構成される。
【００４０】
スプリンクラーヘッドが閉鎖している通常時に、蛇口７８のハンドル８５を回してスピンドル８２を開放側（上側）に移動すると、スピンドル８２による弁体９０の閉鎖位置への押付けが解除され、弁体９０はコイルバネ９２のみの力を受けたフリー状態となる。
【００４１】
ここで弁体９０をフリー状態としたとき、弁体９０はコイルバネ９２の力により閉鎖位置に押付けられようとするが、コマパッキン８８に加わる水圧による力がコイルバネ９２のバネ力に打ち勝ち、水圧により押されて弁体９０が押し上げられ、流路を開いて水道水を出口８２ｃから給水することができる。
【００４２】
一方、消火設備のスプリンクラーヘッドが火災による熱を受けて作動した状態で蛇口７８のハンドル８５を回して水を出そうとした場合、スプリンクラーヘッドからの散水により配管内の水圧は例えば０．０５ＭＰａ以下に低下し、所定の圧力以下、例えば０．０３ＭＰａ以下に低下しているときにハンドル８５を回して水を出そうとすると、スピンドル８２が上方に移動して弁体９０がフリー状態となっても、コマパッキン８８を介して弁体９０に加わる力がコイルバネ９２の力を上回ることがなく、弁体９０はコイルバネ９２に押されて弁穴８２ｂを閉鎖し、蛇口７８を開いても水が出ず、スプリンクラーヘッド作動中の蛇口７８の使用による水圧低下を抑制する。
【００４３】
蛇口７８に対する遮断装置２０の組み込みは、通常の蛇口２８のスピンドルをパッキン押え８４を外して取り出し、弁体９０とコイルバネ９２からなる遮断装置２０を組付けたスピンドル８２に交換して本体８０に組み込めば良い。
【００４４】
図８は本発明の消火設備で使用する遮断装置の他の実施形態を示した断面図であり、この実施形態にあっては、蛇口の水の出口に遮断装置を接続したことを特徴とする。
【００４５】
図８において、蛇口７８の出口内部にはネジ穴９４が形成され、ここに遮断装置２０を捩じ込み固定している。遮断装置２０は例えば図２の実施形態と同じ構造であり、本体２２の一方にネジ部を備えた流入口２４を形成し、蛇口７８の出口のネジ穴９４に捩じ込み固定可能とする。
【００４６】
また本体２２の反対側に流出口２６を形成し、その間に形成した流路３０の２次側の弁座３２に対しボール弁３４を配置し、ボール弁３４をホルダー２８の配置で支持したコイルバネ３６により閉鎖方向に付勢している。ホルダー２８には軸方向に複数の流路３８が形成されている。
【００４７】
ボール弁３４は蛇口７８を開いたときの流入口２４からの水圧がコイルバネ３６のバネ力で設定した例えば０．０３ＭＰａを超えていると、ボール弁３４がコイルバネ３６を圧縮して流路３０を開き、水を出すことができる。
【００４８】
一方、スプリンクラーヘッド１８の作動により給水圧力が例えば０．０３ＭＰａ以下に低下すると、蛇口７８を開いたときの流入口２４からの水圧によりボール弁３４に加わる力はコイルバネ３６の力を下回り、ボール弁３４はコイルバネ３６の力に押されて流路３０を閉鎖し、スプリンクラーヘッド作動中の蛇口７８の使用による水圧低下を抑制する。
【００４９】
このように蛇口出口のネジ穴に遮断装置２０を接続することで、配管途中に遮断装置を設ける場合に比べ、遮断装置２０の組み付けが容易で消火設備を構築する際の作業工数とコストの低減を図ることができる。
【００５０】
また、図８にあっては、図２と同じ構造の遮断装置２０を蛇口７８に接続しているが、図６に示したバイパス流路７６を設けた構造の遮断装置２０を蛇口７８に接続するようにしても良く、この場合には、スプリンクラーヘッドの作動により水圧低下しても、蛇口７８を開いた時に必要最小限の給水を確保することができる。
【００５１】
なお、弁の開閉に依存しないバイパス流路７４を設けた遮断装置２０は、図６の実施形態以外に、図３及び図４の実施形態についても、同様に適用できる。
【００５２】
また上記の実施形態は、上水道配管１０を一般設備配管１０ａと消火設備配管１０ｂの２系統に分けて配管した場合を例にとっているが、同じ配管に一般設備の散水部とスプリンクラーヘッドを接続した構成としても良く、この場合には、図１に示したように、一般設備の散水部に対する配管の各々に遮断装置２０を設ける。
【００５３】
また、本発明はその目的と利点を損なうことのない適宜の変形を含み、更に上記の実施形態に示した数値による限定は受けない。複数個のスプリンクラーヘッドが同時に作動した際の放水圧力の低下を考慮して、放水圧０．０２．ＭＰａを規定圧とする場合もあるが、この場合は０．０１ＭＰａ以下に低下した場合に遮断装置が弁を閉止するようにして良い。
【符号の説明】
【００５４】
１０：上水道配管
１０ａ：一般設備配管
１０ｂ：消火設備配管
１８：スプリンクラーヘッド
２０：遮断装置
２２，４２：本体
２４，４４：流入口
２６，４６：流出口
２８，４８：ホルダー
３０，３８，５０，６０，６６：流路
３２，５２：弁座
３４：ボール弁
３６，５８，７２：コイルバネ
５４，７０：弁体
５５：ロッド
５６：ストッパ
６２：１次配管
６４：２次配管
６８：弁座シール
７４：シールリング
７６：バイパス流路
【図１】
2010213825.tif 000003
【図２】
2010213825.tif 000004
【図３】
2010213825.tif 000005
【図４】
2010213825.tif 000006
【図５】
2010213825.tif 000007
【図６】
2010213825.tif 000008
【図７】
2010213825.tif 000009
【図８】
2010213825.tif 000010